(57)【要約】【課題】  リール本体の操作状態や釣果の妨げとなる警告などの各種情報をリモコン側でリアルタイム表示することによって、操作状況を適格に把握できると共に、なんらかの問題が発生した場合も適正な処置を迅速に行うことができる遠隔操作可能な魚釣り用リールを開示する。【解決手段】  リール本体を遠隔制御装置からの無線通信により遠隔操作可能とした魚釣り用リールであって、リール本体と遠隔制御装置は互いに信号を送受信可能とし、前記遠隔制御装置はリール本体に各種操作信号を送信する操作部と、リール本体から常時送信される水深や速度等の各種情報信号を受信して、該情報を表示する表示部とを有する。遠隔制御装置の表示情報には、リール本体の少なくとも過負荷警告情報または電圧低下警告情報の何れか一つを含み、また、遠隔制御装置の電圧低下警告情報やリール本体との通信不能警告情報を含む。【選択図】        図３
2005218354.tif 000002
【特許請求の範囲】
【請求項１】
リール本体を遠隔制御装置からの無線通信により遠隔操作可能とした魚釣り用リールであって、リール本体と遠隔制御装置は互いに信号を送受信可能とし、前記遠隔制御装置はリール本体に各種操作信号を送信する操作部と、リール本体から常時送信される水深や速度等の各種情報信号を受信して、該情報を表示する表示部とを有することを特徴とした遠隔操作可能な魚釣り用リール。
【請求項２】
遠隔制御装置の表示情報には、リール本体の少なくとも過負荷警告情報または電圧低下警告情報の何れか一つを含む請求項１に記載した遠隔操作可能な魚釣り用リール。
【請求項３】
遠隔制御装置の表示情報には、該遠隔制御装置の電圧低下警告情報を含む請求項１または２に記載した遠隔操作可能な魚釣り用リール。
【請求項４】
遠隔制御装置の表示情報には、リール本体との通信不能警告情報を含む請求項１、２または３に記載した遠隔操作可能な魚釣り用リール。
【請求項５】
遠隔制御装置は複数台のリール本体のアドレスを選択するリール選択スイッチを備え、当該選択した任意のリール本体と各種操作信号および各種情報信号を送受信可能とした請求項１から４のうち何れか一項に記載した遠隔操作可能な魚釣り用リール。
【発明の詳細な説明】
【技術分野】
【０００１】
この発明は、リール本体を遠隔制御装置（以下、リモコンという場合もある）からの無線通信により遠隔操作可能とした魚釣り用リールに係り、より詳しくはリール本体の操作状態や釣果の妨げとなる警告などの各種情報をリモコン側で表示する技術に関するものである。
【背景技術】
【０００２】
従来から、リール本体をリモコンによって遠隔操作するようにした魚釣り用リールは公知であり、両者を無線通信によって接続した構成も公知であり（例えば、特許文献１、２を参照）。
【０００３】
【特許文献１】特開平７−８７８６４号公報
【特許文献２】特開２００１−１６１２３５号公報
【発明の開示】
【発明が解決しようとする課題】
【０００４】
リール本体をリモコンにより遠隔操作するメリットは、置き竿による釣法時や複数台のリール本体を同時操作する場合に見出すことができるが、従来の構成は、リモコン側が一方向的にリール本体を遠隔制御するのみで、リール本体からの信号を受信するなど、リモコン側ではリール本体の操作状態等を知ることができなかった。このため、使用者は装置を信頼しながらも、操作通りにリール本体が動作しているかどうかをリモコンによっては確かめることができず、遠隔操作時における不安感を完全にぬぐい去ることができなかったことは否めない。
【０００５】
また、魚が餌に食い付いた後、釣糸を巻き取る段階では、魚の引きに応じて巻き取りの速度を調整するなどの操作が必要となり、これを誤ればリール本体のモータに過負荷がかかるなどして、糸が切れたり、モータが焼き付くなどの不具合が生じることになるが、従来、リモコン側ではこうした過負荷状態を知ることができなかった。さらに、リール本体やリモコンの電圧が低下したり、両者が通信不能状態に陥った場合など、正常操作の妨げになる情報もリモコン側で関知することができなかった。
【０００６】
本発明は上述した課題に鑑みなされたもので、その目的とするところは、リール本体の操作状態や釣果の妨げとなる警告などの各種情報をリモコン側でリアルタイム表示することによって、操作状況を適格に把握できると共に、なんらかの問題が発生した場合も適正な処置を迅速に行うことができる遠隔操作可能な魚釣り用リールを開示することである。
【課題を解決するための手段】
【０００７】
上述した目的を達成するために本発明では、リール本体を遠隔制御装置からの無線通信により遠隔操作可能とした魚釣り用リールであって、リール本体と遠隔制御装置は互いに信号を送受信可能とし、前記遠隔制御装置はリール本体に各種操作信号を送信する操作部と、リール本体から常時送信される水深や速度等の各種情報信号を受信して、該情報を表示する表示部とを有する構成とした。なお、遠隔操作に必要な操作信号の送受信方法やこれを実現するための構成は従来公知のものを採用することができる。また、水深や速度等の各種情報をリール本体側で演算することは従来と同じである。
【０００８】
さらに本発明では、遠隔制御装置の表示情報に、リール本体の少なくとも過負荷警告情報または電圧低下警告情報の何れか一つを含むこととし、また遠隔制御装置の電圧低下警告情報を含む場合もある。さらに遠隔制御装置の表示情報には、リール本体との通信不能警告情報を含む。
【０００９】
また、遠隔制御装置は複数台のリール本体のアドレスを選択するリール選択スイッチを備え、任意のリール本体と各種操作信号および各種情報信号を送受信可能とした。
【発明の効果】
【００１０】
上述の通り本発明では、遠隔制御装置の表示部に、リール本体から常時送信される水深や速度等の各種情報を表示するようにしたので、使用者はリール本体の操作状態を手元で確認することができる。また、遠隔制御装置の表示部には、リール本体の過負荷警告情報や電圧低下警告情報、遠隔制御装置の電圧低下警告情報、さらにはリール本体との通信不能警告情報を表示するようにしたので、これらの問題発生に対して迅速に適正な処置を行うことが可能となった。さらにまた、遠隔制御装置は複数台のリール本体のうち任意のリール本体と各種操作信号および各種情報信号を送受信可能としたので、複数台のリール本体に対しても同様の効果を得ることができる。
【発明を実施するための最良の形態】
【００１１】
以下、本発明の好ましい実施の形態を添付した図面に従って説明する。図１は本発明の一実施形態に係る魚釣り用リールを示したものである。図中、１はリール本体、２は遠隔制御装置であり、両者１・２は無線通信により接続されている。なお、リール本体１は、遠隔制御装置２に対して後述する情報信号を送信する以外は、従来と同じ構成とすることができる。即ち、リール操作の各種設定を行う他、糸の繰り出し量や繰り出し又は巻き取り時の速度と方向、そのときの使用ギア、深さ記録位置、船べり停止などの状態を常時演算し、その状態情報を必要に応じて表示するものである。さらに、本実施形態の場合、リール本体１は、釣糸巻き上げ時にモータの負荷電流等から過負荷か否かを演算する機能を備えている。さらに、リール本体１は、自己の電圧低下をも常時監視している。
【００１２】
これに対して、遠隔制御装置２は、ケース本体３に、リール本体１と無線通信を行うアンテナ４、各種操作スイッチ５、さらに液晶ディスプレイなどからなる表示部６を備える。７は遠隔制御装置２の電源スイッチである。また、８は複数台のリール本体を操作する場合に、そのアドレスを選択したリール本体がどれであるかを、異なる色彩等によって識別するリール選択表示部である。
【００１３】
そして、遠隔制御装置２は、操作スイッチ５を押すことによって、アンテナ４を介して操作信号をリール本体１に送信し、リール本体１を遠隔操作することができるのであるが、この構成は既に公知であるので、詳細な説明を省略する。また、複数台のリール本体を一の遠隔制御装置によって操作する構成は、出願人による上述した特許文献１・２に開示されているため、同様に詳細な説明を省略する。
【００１４】
一方、リール本体１からは常時、その操作状態を示す情報が遠隔制御装置２に送信されており、遠隔制御装置２ではその情報をリアルタイムで表示部６に表示する。図２、３は、その表示例を示したもので、通常運転時の表示例（図２）と、非常時の表示例（図３）に分けることができる。通常運転時の表示例では、表示部６の上段から、その左側にスプールの回転方向Ａ、右側に深さ記憶位置Ｂが表示され、中段には糸の繰り出し量（メートル表示）と回転数Ｃを切り替え可能に表示する。その下には、速度インジケータＤが表示され、表示されるコマの数によって、例えば１速から７速まで表示するようにしている。そして、最下段には船べり停止Ｅが表示され、繰り出していた釣糸が船べりまで巻き取られたことを表示して、巻き取り完了を知らせるものである。
【００１５】
通常運転時は表示部６に図２に示した情報が表示されるのであるが、非常時には通常運転時表示に優先して、図３に示すような警告情報が表示される。即ち、リール本体１側で過負荷を検出した場合（Ａ）、リール本体１側で駆動に必要な電圧が低下した場合（Ｂ）は、リール本体１からその旨の信号が遠隔制御装置２に送信され、それぞれ（Ａ）（Ｂ）のような警告表示を行って使用者に注意を促す。この他、遠隔制御装置２側でもバッテリー不足などを監視しており、リモコン側電圧低下（Ｃ）を警告表示する。さらに、遠隔制御装置２側はリール本体１との通信状態も監視しており、両者１・２の距離が空いたり、両者１・２間に障害物があるなどして、電波が充分に届かない場合には、通信不能を伝える圏外警告表示（Ｄ）を行う。
【００１６】
なお、図２、３に示した図や文字等は一例であり、そのデザインを適宜変更することができるのはもちろんである。また、より注意を喚起するために、特に非常時表示においては、表示部６に表示される図や文字等を点滅表示することも可能である。
【図面の簡単な説明】
【００１７】
【図１】本発明の一実施形態に係る魚釣り用リールの説明図
【図２】表示部の表示例（通常運転時）
【図３】表示部の表示例（非常時）
【符号の説明】
【００１８】
１  リール本体
２  遠隔制御装置
３  遠隔制御装置のケース本体
４  アンテナ
５  操作スイッチ
６  表示部
７  電源スイッチ
８  リール選択表示部
【図１】
2005218354.tif 000003
【図２】
2005218354.tif 000004
【図３】
2005218354.tif 000005